(57)【要約】  カラー電子発光、ＥＬ、ディスプレイ装置は、それぞれ２つ以上の色（Ｒ、Ｇ、Ｂ）の副画素（１）を有する画素（１１）の配列を有する。色（Ｒ、Ｇ、Ｂ）の少なくとも１つに対し、画素（１１）は、第１のＥＬ材料を有する第１の副画素（ＲＬ、ＧＬ、ＢＬ）、及び第２のＥＬ材料を有する第２の副画素（ＲＣ、ＧＣ、ＢＣ）を有する。第１のＥＬ材料は、第２のＥＬ材料より長寿命である。第２のＥＬ材料は、第１のＥＬ材料より良好な色点及び／又は良好な色表示特性を有する。いくつかの実施例では、画素は、２つの赤の副画素（ＲＬ、ＲＣ）、２つの緑の副画素（ＧＬ、ＧＣ）及び２つの青の副画素（ＢＬ、ＢＣ）を有する。各色の一方の副画素（ＲＬ、ＧＬ、ＢＬ）は、相対的に長寿命のＥＬ材料を有し、各色の他方の副画素（ＲＣ、ＧＣ、ＢＣ）は、相対的に良好な色点のＥＬ材料を有する。他の実施例では、画素は、２つの副画素（ＢＬ、ＢＣ）、１つの赤の副画素及び１つの緑の副画素を有する。
2007533095.tif 000002
【特許請求の範囲】
【請求項１】
カラーエレクトロルミネセント、ＥＬ、ディスプレイ素子であって；画素の配列を有し：
各画素は、２つ以上の主色の副画素を有し；
少なくとも１つの前記主色に対し、前記画素は第１のＥＬ材料を有する前記主色の第１の副画素及び第２のＥＬ材料を有する前記主色の第２の副画素を有し；
前記第１のＥＬ材料は、前記第２のＥＬ材料より長寿命であり；及び
前記第２のＥＬ材料は、前記第１のＥＬ材料より良好な色点及び／又は良好な色表示特性を有する、カラーエレクトロルミネセント、ＥＬ、ディスプレイディスプレイ素子。
【請求項２】
各画素は、第１のＥＬ材料を有する前記主色の前記第１の副画素、及び第２のＥＬ材料を有する前記主色の前記第２の副画素を有する、請求項１記載のディスプレイ素子。
【請求項３】
画素により表示されるべき色又は色相が、前記第１の副画素を駆動することにより、前記第２の副画素を駆動することなく、前記第１及び第２の副画素の前記主色の十分な色貢献を提供され得る場合、前記第１の副画素は駆動されるが、しかし前記第２の副画素は駆動されないよう、前記ディスプレイ素子を駆動するよう構成され；並びに前記表示されるべき色又は色相が、前記第１の副画素を駆動することにより、前記第２の副画素を駆動することなく、前記第１及び第２の副画素の前記主色の十分な色貢献を提供され得ない場合、前記第２の副画素が駆動されるよう更に構成された回路を更に有する、請求項２記載のディスプレイ素子。
【請求項４】
前記駆動回路は、前記表示されるべき色又は色相が、前記第１の副画素を駆動することにより、前記第２の副画素を駆動することなく、前記第１及び第２の副画素の前記主色の十分な色貢献を提供され得ない場合、前記第１の副画素の駆動に加え、前記第２の副画素が駆動されるよう構成される、請求項３記載のディスプレイ素子。
【請求項５】
前記駆動回路は、前記表示されるべき色又は色相が、前記第１の副画素を駆動することにより、前記第２の副画素を駆動することなく、前記第１及び第２の副画素の前記主色の十分な色貢献を提供され得ない場合、前記第１の副画素を駆動する代わりに、前記第２の副画素が駆動されるよう構成される、請求項３記載のディスプレイ素子。
【請求項６】
前記主色毎に、前記画素は第１のＥＬ材料を有する前記主色の第１の副画素及び第２のＥＬ材料を有する前記主色の第２の副画素を有し；
前記第１のＥＬ材料は、前記第２のＥＬ材料より長寿命であり；及び
前記第２のＥＬ材料は、前記第１のＥＬ材料より良好な色点及び／又は良好な色表示特性を有する、請求項１乃至５の何れか１項記載のディスプレイ素子。
【請求項７】
前記主色の青のみに対し、前記画素は第１のＥＬ材料を有する第１の青の副画素及び第２のＥＬ材料を有する第２の青の副画素を有し；
前記第１のＥＬ材料は、前記第２のＥＬ材料より長寿命であり；及び
前記第２のＥＬ材料は、前記第１のＥＬ材料より良好な色点及び／又は良好な色表示特性を有する、請求項１乃至５の何れか１項記載のディスプレイ素子。
【請求項８】
前記画素のいくつかは、前記第１の青の副画素を有し前記第２の青の副画素を有せず；及び前記画素の残りは、前記第２の青の副画素を有し前記第１の青の副画素を有さない、請求項１に従属する請求項７項記載のディスプレイ素子。
【請求項９】
前記主色の色は、赤、緑及び青である、請求項１乃至８の何れか１項記載のディスプレイ素子。
【請求項１０】
カラーエレクトロルミネセント、ＥＬ、ディスプレイ素子を駆動する方法であって、前記方法は：
表示されるべき色相への十分な色貢献が所与の色の色副画素の対の第１の副画素により提供され得るかを決定する段階を有し、前記対の前記第１の副画素は第１のＥＬ材料を有し、及び前記対の前記第２の副画素は第２のＥＬ材料を有し、前記第１のＥＬ材料は前記第２のＥＬ材料より長寿命であり、及び前記第２のＥＬ材料は前記第１のＥＬ材料より良好な色点及び／又は良好な色表示特性を有し；
十分な色貢献が提供され得る場合、前記第１の副画素を駆動するが、前記第２の副画素を駆動せず；及び
十分な色貢献が提供され得ない場合、前記第２の副画素を駆動する、カラーエレクトロルミネセント、ＥＬ、ディスプレイ素子駆動方法。
【請求項１１】
十分な色が提供され得ない場合、前記第１及び第２の副画素の両方が表示されるべき色相に色貢献をするよう、前記第１の副画素の駆動に加え、前記第２の副画素を駆動する段階が実行される、請求項１０記載の方法。
【請求項１２】
十分な色が提供され得ない場合、前記第２の副画素が表示されるべき色相に色貢献するが、前記第１の副画素が表示されるべき色相に色貢献しないよう、前記第１の副画素を駆動する代わりに、前記第２の副画素を駆動する段階が実行される、請求項１０記載の方法。
【発明の詳細な説明】
【技術分野】
【０００１】
本発明は、例えば、ポリマーＬＥＤ（ＰＬＥＤ）のような有機発光ダイオード（ＬＥＤ）素子を用いるカラー電子発光ディスプレイ素子に関する。
【背景技術】
【０００２】
エレクトロルミネセント（ＥＬ）発光ディスプレイ要素を利用したディスプレイマトリックスディスプレイ素子が知られている。ディスプレイ要素は、例えば、ポリマー材料を用いた有機薄膜エレクトロルミネセント要素、又は従来のＩＩＩ−Ｖ族半導体化合物を用いた発光ダイオード（ＬＥＤ）を有して良い。近年の有機エレクトロルミネセント材料、特にポリマー材料における発展は、特にビデオディスプレイ装置のための利用可能性を証明している。これらの材料は、標準的に、１対の電極の間に挟まれた半導体共役ポリマーの１つ以上の層を有する。１つ以上の層の一方は、透過である。１つ以上の層の他方は、ポリマー層に穴又は電極を差し挟むために適した材料から成る。ポリマー材料は、可溶性共役ポリマーの溶液を用いる回転塗布技術により容易に製造され得る。
【０００３】
有機エレクトロルミネセント材料は、ダイオードに似たＩ−Ｖ特性を示す。従って、これらの材料は、ディスプレイ機能及び切り替え機能の両方を提供可能であり、また従って、パッシブディスプレイで利用され得る。代案として、これらの材料は、各画素が、ディスプレイ要素及びディスプレイ要素を流れる電流を制御する切り替え素子を有する、アクティブマトリックスディスプレイ素子に利用されて良い。
【０００４】
この種類のいくつかのディスプレイ素子は、電流でアドレス指定されるディスプレイ要素を有し、及びディスプレイ要素への制御可能な電流の供給を有する従来のアナログ駆動方式を用いる。画素構成の一部として、電流源トランジスタを設けることが知られている。電流源トランジスタに供給されるゲート電圧は、ディスプレイ要素を流れる電流を決定する。ストレージキャパシターは、アドレス指定段階の後に、ゲート電圧を保持する。グレースケールレベルは、アナログ駆動方式において、アナログ駆動電流レベルにより決定されるグレースケールレベルに基づき達成される。
【０００５】
また、デジタル駆動方式が提案される。このような方式では、ＬＥＤ素子は、２つの可能な電位に実質的に駆動される。デジタル駆動方式でグレースケールを提供する１つの知られている方法では、画素がフレームレートより早くオン及びオフに切り替えられ得るので、グレースケールは、画素がオンに切り替えられるデューティーサイクルの関数として実施される。これは、時間比法と称され得る。
【０００６】
特許文献１は、アナログ方式及びデジタル方式の両方で動作可能なＥＬディスプレイ素子を開示している。
【０００７】
カラーエレクトロルミネセントディスプレイ素子は、異なるＥＬ材料を利用し、共に１つの色画素を提供する個々の色の副画素を設ける。副画素は、通常、赤、緑及び青である。つまり、それらの透過波長は、それぞれ赤色波長、緑色波長及び青色波長である。特定の色及び色相は、それぞれ個々の色の副画素をその副画素固有の「グレーレベル」で駆動することにより、画素により表示される。これは、所要の重み付けされた３個の副画素の色透過波長の混合を有する、組み合わされた光出力を提供する。
【０００８】
このようなディスプレイから可能な色表示の精度は、ＥＬ材料の色点がどれだけ良好か、つまり、全体の色スペクトラムを提供するために各色点がどれだけ貢献しているかに部分的に依存する。一般に、良好な色点、つまり色深さを有するＥＬ材料が利用可能であるが、これらの材料は、これらの材料より良くない色点を有する他の利用可能なＥＬ材料ほど長寿命を有する傾向がない。
【０００９】
特許文献２は、伝えられるところによると良好な色バランス及び寿命を有する有機ＥＬ素子を開示している。異なる色の発光領域は、異なる大きさである。
【００１０】
色の課題と関係なく、特許文献３は、長寿命を有し効率を改善され及び多層構造のカソードの形成による放射を有するＰＬＥＤを開示している。
【００１１】
特許文献４は、それぞれ完全に異なる個々の色（例えば、青及び赤）を提供する２つの異なるＥＬ材料を有する発光素子を開示している。短寿命材料を他のＥＬ材料と同程度に長く持続させる目的で、より短寿命を有するＥＬ材料は、他のＥＬ材料より低輝度で駆動される。
【特許文献１】米国特許第２００３／００９８８２８Ａ１号明細書
【特許文献２】特許第２０００２３５８９１号明細書
【特許文献３】国際公開特許第０１０６５７６号パンフレット
【特許文献４】国際公開特許第０１９９１９５号パンフレット
【特許文献５】国際公開特許第ＡＯ７１７４４６号パンフレット
【特許文献６】国際公開特許第９６／３６９５９号パンフレット
【非特許文献１】マテリアルズ・アンド・インクス・フォー・フル・カラー・ピーエルイーディー・ディスプレイ（Materials  and  Inks  for  Full  Color  PLED-Displays）、エスアイディー・ダイジェスト２００２（SID  Digest  ２００２）、（発行国）、発行所（publisher）、２００２年、ｐ．７８０
【非特許文献２】エレクトロルミネセント・ピーアイエヌ・オーガニック・ライトエミッティング・デバイシーズ・フォー・ベリーハイエフィシェンシー・フラットパネル・ディスプレイズ（Electrophosphorescent  p-i-n  Organic  Light-Emitting  Devices  for  Very-High-Efficiency  Flat-Panel  Displays）、アドバンスト・マテリアルズ（Adv.  Mater.）、２００２年、１４巻、２２番、ｐ．１６３３
【発明の開示】
【発明が解決しようとする課題】
【００１２】
本発明の発明者らは、それぞれ満足な又はそれぞれ正確な色表示を提供するカラーエレクトロルミネセントディスプレイ素子の寿命を改善することが望ましいと考えた。
【課題を解決するための手段】
【００１３】
第１の態様では、本発明は、画素の配列を有するカラーエレクトロルミネセント、ＥＬ、ディスプレイ素子を提供する。各画素は、２つ以上の主色の副画素を有する。少なくとも１つの前記主色に対し、前記画素は第１のＥＬ材料を有する前記主色の第１の副画素及び第２のＥＬ材料を有する前記主色の第２の副画素を有する。前記第１のＥＬ材料は、前記第２のＥＬ材料より長寿命である。及び前記第２のＥＬ材料は、前記第１のＥＬ材料より良好な色点及び／又は良好な色表示特性を有する。
【００１４】
各画素は、第１のＥＬ材料を有する前記１つの又はそれぞれ個々の少なくとも１つの主色の前記第１の副画素、及び第２のＥＬ材料を有する前記１つの又はそれぞれ個々の少なくとも１つの主色の前記第２の副画素を有して良い。
【００１５】
ディスプレイ素子は、画素により表示されるべき色又は色相が、前記第１の副画素を駆動することにより、前記第２の副画素を駆動することなく、前記第１及び第２の副画素の前記主色の十分な色貢献を提供され得る場合、前記第１の副画素は駆動されるが、しかし前記第２の副画素は駆動されないよう、前記ディスプレイ素子を駆動するよう構成され、並びに前記表示されるべき色又は色相が、前記第１の副画素を駆動することにより、前記第２の副画素を駆動することなく、前記第１及び第２の副画素の前記主色の十分な色貢献を提供され得ない場合、前記第２の副画素が駆動されるよう更に構成された回路を更に有して良い。
【００１６】
駆動回路は、前記表示されるべき色又は色相が、前記第１の副画素を駆動することにより、前記第２の副画素を駆動することなく、前記第１及び第２の副画素の前記主色の十分な色貢献を提供され得ない場合、前記第１の副画素の駆動に加え前記第２の副画素が駆動されるよう構成されて良い。
【００１７】
駆動回路は、前記表示されるべき色又は色相が、前記第１の副画素を駆動することにより、前記第２の副画素を駆動することなく、前記第１及び第２の副画素の前記主色の十分な色貢献を提供され得ない場合、前記第１の副画素を駆動する代わりに前記第２の副画素が駆動されるよう構成されて良い。
【００１８】
ディスプレイ素子は、前記主色毎に、前記画素が、第１のＥＬ材料を有する第１の副画素及び第２のＥＬ材料を有する第２の副画素を有して良い。前記第１のＥＬ材料は前記第２のＥＬ材料より長寿命であり、並びに前記第２のＥＬ材料は前記第１のＥＬ材料より良好な色点及び／又は色表示特性を有して良い。
【００１９】
主色は、赤、緑及び青であって良い。
【００２０】
ディスプレイ素子は、第１の行に配置された相対的に長寿命のＥＬ材料の３個の異なる色の副画素（例えば、主色Ｒ、Ｇ及びＢで、及び例えば、ＲＬ−ＧＬ−ＢＬの位置順序で）、並びに前記第１の行の直下の第２の行に配置された相対的に良好な色のＥＬ材料の同一の主色（前述の括弧内の例の場合、Ｒ、Ｇ、Ｂ）の更に３個の異なる色の副画素を有して良い。これら３個の副画素は、対応する位置の色の順序に構成されて良い（つまり、前述の括弧内の例の場合、ＲＣ−ＧＣ−ＢＣ）。
【００２１】
ディスプレイ素子は、青の主色だけに対し、異なる色の副画素を有して良い。
【００２２】
別の態様では、本発明は、カラーエレクトロルミネセント、ＥＬ、ディスプレイ素子を駆動する方法を提供する。前記方法は、表示されるべき色相への十分な色貢献が所与の色の色副画素の対の第１の副画素により提供され得るかを決定する段階を有する。前記方法では、前記対の前記第１の副画素は第１のＥＬ材料を有し、及び前記対の前記第２の副画素は第２のＥＬ材料を有し、前記第１のＥＬ材料は前記第２のＥＬ材料より長寿命であり、及び前記第２のＥＬ材料は前記第１のＥＬ材料より良好な色点及び／又は良好な色表示特性を有する。前記方法は、十分な色貢献が提供され得る場合、前記第１の副画素を駆動するが、前記第２の副画素を駆動しない。及び前記方法は、十分な色貢献が提供され得ない場合、前記第２の副画素を駆動する。
【００２３】
ある可能性では、十分な色が提供され得ない場合、第１及び第２の副画素の両方が表示されるべき色相に色貢献をするよう、前記第１の副画素の駆動に加え、前記第２の副画素を駆動する段階が実行される。
【００２４】
別の可能性では、十分な色が提供され得ない場合、第２の副画素が表示されるべき色相に色貢献するが、第１の副画素が表示されるべき色相に色貢献しないよう、第１の副画素を駆動する代わりに、第２の副画素を駆動する段階が実行される。
【００２５】
更に別の態様では、画素は、２つの赤の副画素、２つの緑の副画素及び２つの青の副画素を有して良い。各色の一方の副画素は、相対的に長寿命のＥＬ材料を有し、各色の他方の副画素は、相対的に良好な色点のＥＬ材料を有する。可能であれば、色は長寿命の副画素だけを用いて表示され、従って、良好な寿命を提供するが、より強い色点を必要とする特定の色では、良好な色の副画素は、長寿命の副画素の代わりに又はそれに加えて駆動される。
【００２６】
従って、色表示又は再生は、良好色ＥＬ材料の利用により向上され易く、同時に相対的により良好な寿命のＥＬ材料の利用のために、良好色ＥＬ材料のみを利用した場合より良好な寿命性能を得易い。
【発明を実施するための最良の形態】
【００２７】
本発明の実施例は、例として以下の図を参照し説明される。
【００２８】
図１は、本発明によるアクティブマトリックスにアドレス指定されるカラーエレクトロルミネセントディスプレイ素子の一部の図である。アクティブマトリックスにアドレス指定されるカラーエレクトロルミネセントディスプレイ素子は、規則的間隔に置かれた副画素の行及び列のマトリックスアレイを有するパネルを有する。前記パネルは、ブロック１により示され、及び更に切り替え手段と関連付けられたエレクトロルミネセントディスプレイ要素２を有する。副画素１は、行（選択）及び列（データ）アドレス導線４及び６の交差するセットの間の交点に置かれる。６個の副画素１の個々のグループは、２行３列に構成され、個々の画素１１を設ける。簡単のため、わずかな画素１１のみが図に示される。実際には、数百行及び列の画素１１があって良い。副画素１は、行及び列アドレス導線のセットを介し、周辺の駆動回路によりアドレス指定される。駆動回路は、導線の個々のセットの端と接続された、行走査駆動回路８及び列データ駆動回路９を有する。列駆動回路９は、以下により詳細に説明される色モジュール１２を有する。
【００２９】
エレクトロルミネセントディスプレイ要素２は、有機発光ダイオードを有する。有機発光ダイオードは、本願明細書では以後ダイオード要素（ＬＥＤ）として表され、１対の電極を有する。１対の電極の間には、有機エレクトロルミネセント材料の１つ以上のアクティブ層が挟まれている。アレイのディスプレイ要素は、関連付けられたアクティブマトリックス回路とともに、絶縁支持材の片側に置かれる。ディスプレイ要素のカソード又はアノードの何れかは、透過な伝導性材料から形成される。支持材は、ガラスのような透過な材料から形成される。基板に近接するディスプレイ要素２の電極は、ＩＴＯのような透過な伝導性材料を有して良い。従って、エレクトロルミネセント層により生成される光は、支持材の他方の側で見る者に視覚可能なように、これら電極及び支持材を通り伝達する。標準的に、有機エレクトロルミネセント材料層の厚さは、１００ｎｍ乃至２００ｎｍの間である。
【００３０】
この実施例では、以下により詳細に説明されるように、異なる有機エレクトロルミネセント材料又は共役ポリマー材料は、画素１１内の異なる副画素１に用いられる。
【００３１】
図２は、副画素及びこの実施例の各副画素１で用いられる駆動回路構成を簡易図の形式で示す。各副画素１は、ＥＬディスプレイ要素２及び関連付けられた駆動回路を有する。駆動回路は、行導線４の行アドレスパルスによりオンに切り替えられるアドレストランジスタ１６を有する。アドレストランジスタ１６がオンに切り替えられると、列導線６の電圧は、残りの副画素に移動し得る。特に、アドレストランジスタ１６は、列導線電圧を電流源２０へ供給する。電流源２０は、駆動トランジスタ２２及びストレージキャパシター２４を有する。列電圧は、駆動トランジスタ２２のゲートに供給される。また行アドレスパルスが終了した後でさえ、ゲートには、ストレージキャパシター２４によりこの電圧が保持される。
この実施例では、副画素及び駆動回路構成は、アナログ方式で動作される。駆動トランジスタ２２のゲート電圧の範囲は、電流源２０に電力線２６で電力を供給する電圧と組み合わせ、ソース−ドレイン電流がほぼゲート電圧の２次式になるよう、トランジスタが飽和領域で動作するよう、選択される。従って、列導線６の電圧は、ディスプレイ要素２へ流れる所望の電流を選択するために利用される。標準的に、駆動トランジスタ２２のソース−ドレイン間で約６Ｖ降下する。そして結果として、電力線２６の電圧は、（カソードが図示されるように接地された場合）ＬＥＤの両端で約４Ｖの所要の電圧降下が達成されるよう、約１０Ｖである必要がある。標準的なゲート電圧は、約４Ｖのストレージキャパシター２４に蓄積された電圧を有する範囲である。例えば、列導線６のデータ信号は、約５−７Ｖの範囲内に包含され得る。
【００３２】
図３は、画素１１の更なる詳細を示す図である。この実施例では、３色の副画素が設けられる。つまり、赤、緑及び青であり、それぞれ図３のＲ、Ｇ及びＢとして示される。これら３色、つまりディスプレイの主色毎に、２つの別個の副画素１が設けられる。つまり、各画素１１内には、２つの赤の副画素、２つの緑の副画素及び２つの青の副画素がある。
【００３３】
主色毎に、画素１１内のその色の２つの副画素１は、それぞれ異なるＥＬ材料から形成される。より詳細には、所与の主色の２つの副画素の一方は、相対的に粗悪な色点（つまり相対的に低い飽和状態、つまり色深さ、つまり相対的に粗悪な色表示特性）を有するが、相対的に長寿命を有するＥＬ材料（以後、長寿命ＥＬ材料として参照される）から形成される。同時に、所与の色の２つの副画素の他方は、相対的に良好な色点（つまり相対的に高い飽和状態、つまり色深さ、つまり相対的に良好な色表示特性）を有するが、相対的に短寿命を有するＥＬ材料（以後、良好色ＥＬ材料として参照される）から形成される。
【００３４】
従って、図３を参照すると、各画素は、図３のＲＬ、ＧＬ及びＢＬとして示される、長寿命ＥＬ材料の３色のそれぞれの個々の副画素１、及び図３のＲＣ、ＧＣ及びＢＣとして示される、良好色ＥＬ材料の３色のそれぞれの個々の副画素１を更に有する。
【００３５】
この実施例では、長寿命ＥＬ材料の３個の異なる色の副画素１は、図３から分かるように左から右へＲＬ−ＧＬ−ＢＬの順に第１の行に配置される。また、良好色ＥＬ材料の３個の異なる色の副画素１は、対応する色の順序に、つまり図３から分かるように左から右へＲＣ−ＧＣ−ＢＣの順に第１の行の直下の第２の行に配置される。従って、この実施例では、副画素の各列は１つの基本色（例えば、赤）から成る。またこのような各列では、副画素は、その色の長寿命ＥＬ材料とその色の良好色ＥＬ材料の間で交互に生じる。これはまた、所与の列導線６と接続された全ての副画素１が、同一の基本色（例えば、赤）であることを意味する。
【００３６】
更に、以上に説明された副画素１の構成は、各副画素１を独立に駆動させる。
【００３７】
動作中、画素内の異なる副画素１は、画素により表示されるべき色情報に従い駆動される。大体、所与の色又は色相は、１つだけ、２つ又は３個全ての個々の色の長寿命ＥＬ材料の副画素ＲＬ、ＧＬ及びＢＬを用いることにより、画素１１により表示される。これは、色を十分に正確に提供し得る。しかしながら、表示されるべき所与の色が、長寿命ＥＬ材料の副画素ＲＬ、ＧＬ及びＢＬが十分に正確な色表示を提供するために組み合わせ可能でない場合（つまり、画素により表示されるべき色相は、主色の個々の長寿命副画素ＲＬ、ＧＬ及びＢＬを駆動することにより、個々の主色Ｒ、Ｇ及びＢの十分な色貢献を提供されない）、１つ以上の良好色ＥＬ材料の副画素ＲＣ、ＧＣ及びＢＣは、副画素ＲＣ、ＧＣ及びＢＣの相対的に良好な色点に基づき、所要の所与の色を提供するために、より良好に貢献するために駆動される。
【００３８】
一般に、１つ以上の良好色ＥＬ材料の副画素ＲＣ、ＧＣ及びＢＣの動作が、１つ以上の長寿命ＥＬ材料の副画素ＲＬ、ＧＬ及びＢＬの動作と組み合わせられ得る、複数の可能な方法（つまり、方式）がある。これらの例は、以下に図４を参照して説明される。
【００３９】
図４は、色パレットの図である。このような図は、通常、カラーで示され、当業者に良く知られている。パレット形状の端周辺に示される値４４０、４６０、４８０、５００、５２０、５４０、５６０、５８０、６００、６２０及び６４０は、光波長の値をナノメーターで示す。例えば、４４０は、４４０ｎｍの光の波長を示す、等である。当業者は、パレットが通常のカラー印刷で示される場合には視覚的に明らかなように、参照符号４０により示される近似領域は赤を表し及び示し、また参照符号４２により示される近似領域は緑を表し及び示し、また参照符号４４により示される近似領域は青を表し及び示すことを直ちに理解するだろう。これらの領域のそれぞれは、隣接する領域で混じり合い、全ての混合色及び色相を表し示す。例えば参照符号４６により示される近似領域は、黄及び橙の色相を表し示す。更に、実質的な中心では、参照符号４８により示される近似領域は、白「色」を表し示す。
【００４０】
所与の赤、緑及び青の副画素の組み合わせにより表示され得る色相の範囲は、色パレットに描かれた三角形により表され、又は色パレットに描かれた三角形と見なされ得る。図４を参照すると、第１の三角形６５は、長寿命ＥＬ材料の副画素ＲＬ、ＧＬ及びＢＬのＥＬ材料の個々の色点である、三角形の３個の角により特定される。第１の三角形６５は、以上に説明された１つ、２つ又は３個全ての長寿命ＥＬ材料の副画素ＲＬ、ＧＬ及びＢＬを駆動することにより生成され得る色相の範囲を表す。これらの色相は、第１の三角形６５内にある色であるとして以下に参照される。言い換えると、個々の長寿命ＥＬ材料の副画素ＲＬ、ＧＬ及びＢＬは、十分な色貢献を、第１の三角形６５内にある色又は色相に提供可能である。
【００４１】
図４はまた、第２の三角形７０を示す。第２の三角形７０は、良好色ＥＬ材料の副画素ＲＣ、ＧＣ及びＢＣのＥＬ材料の個々の色点である、三角形の３個の角により特定される。従って、第２の三角形７０は、以上に説明された１つ、２つ又は３個全ての良好色ＥＬ材料の副画素ＲＣ、ＧＣ及びＢＣを駆動することにより生成され得る色相の範囲を表す。これらの色相は、第２の三角形７０内にある色であるとして以下に参照される。
【００４２】
長寿命ＥＬ材料の副画素ＲＬ、ＧＬ及びＢＬにより提供され得る色の範囲又は限界が、良好色ＥＬ材料の副画素ＲＣ、ＧＣ及びＢＣにより提供され得る色の範囲又は限界より少ないので、第１の三角形６５は、第２の三角形７０より小さい範囲である。
【００４３】
第１の三角形６５及び第２の三角形７０の両方は、図４に図解的に／定性的に示される。図４は、必ずしも詳細な形状、大きさ又は色パレット上の位置が特定の知られている材料の特性である三角形と一致しない。
【００４４】
この実施例では、動作方式は、以下の通りである（この方式を以下に説明される他の可能な方式と区別する目的で、この動作方式は、以下で第１の動作方式として参照されることに注意せよ）。
（１ａ）画素１１により表示されるべき色又は色相が、第１の三角形６５内にある場合、長寿命ＥＬ材料の副画素ＲＬ、ＧＬ及びＢＬだけが駆動される。より詳細には、第１の三角形６５内に包含される表示されるべき色又は色相の詳細に依存し、１つ、２つ又は３個全ての何れかの異なる色の長寿命ＥＬ材料の副画素ＲＬ、ＧＬ及びＢＬが駆動される。
（１ｂ）画素１１により表示されるべき色又は色相が、第１の三角形６５外にある場合、長寿命ＥＬ材料の副画素ＲＬ、ＧＬ及びＢＬが駆動され、及び更に、１つ以上の良好色ＥＬ材料の副画素ＲＣ、ＧＣ及びＢＣが駆動される。より詳細には、第１の三角形６５外にある表示されるべき色又は色相の詳細に依存し、１つ、２つ又は３個全ての何れかの異なる色の長寿命ＥＬ材料の副画素ＲＬ、ＧＬ及びＢＬが駆動され、及び更に、１つ、２つ又は３個全ての何れかの良好色ＥＬ材料の副画素ＲＣ、ＧＣ及びＢＣが駆動される。従って、第１の三角形６５外の色又は色相に対し、良好色ＥＬ材料の副画素ＲＣ、ＧＣ及びＢＣの利用に基づき可能な追加の色再生は、長寿命ＥＬ材料の副画素ＲＬ、ＧＬ及びＢＬにより提供される基本のしかし不充分な色再生に実質的に追加される。この独特の「追加」手法は、色表示を向上すると同時に、長寿命ＥＬ材料の副画素ＲＬ、ＧＬ及びＢＬの利用を良好色ＥＬ材料の副画素ＲＣ、ＧＣ及びＢＣと比較して可能な限り幅広くする。特に、良好色ＥＬ材料の副画素ＲＣ、ＧＣ及びＢＣが駆動され良好な色を得る場合でも、長寿命ＥＬ材料の副画素ＲＬ、ＧＬ及びＢＬを駆動し、一種の「色基礎」を提供することにより、良好色ＥＬ材料の副画素ＲＣ、ＧＣ及びＢＣが駆動される必要のある輝度レベルは、低減される。これは、色表示の絶対精度に僅かな低下を生じ得る。しかし、この低下は、良好色ＥＬ材料の副画素ＲＣ、ＧＣ及びＢＣの利用により達成される向上と比較して多くの場合小さい。またこの低下は、多くの場合、更なる寿命性能の向上のために払われる代償の量を表す。
【００４５】
また、留意すべき点は、画素１１により表示されるべき色又は色相が第２の三角形７０の外にある場合、良好色ＥＬ材料の副画素ＲＣ、ＧＣ及びＢＣを利用しても、完全に正確な色表示を提供しないことである。それにもかかわらず、提供される色は、長寿命ＥＬ材料の副画素ＲＬ、ＧＬ及びＢＬだけが利用される場合より、理想的に提供される色に近い。
【００４６】
以上に説明されたように、多くの異なる動作方式が考えられ得る。利用され得る第２の動作方式の例は、以下の通りである。
（２ａ）画素１１により表示されるべき色又は色相が、第１の三角形６５内にある場合、長寿命ＥＬ材料の副画素ＲＬ、ＧＬ及びＢＬだけが駆動される。より詳細には、第１の三角形６５内に包含される表示されるべき色又は色相の詳細に依存し、１つ、２つ又は３個全ての何れかの異なる色の長寿命ＥＬ材料の副画素ＲＬ、ＧＬ及びＢＬが駆動される。
（２ｂ）画素１１により表示されるべき色又は色相が、第１の三角形６５外にある場合、如何なる長寿命ＥＬ材料の副画素ＲＬ、ＧＬ及びＢＬも駆動されない。代わりに、１つ以上の良好色ＥＬ材料の副画素ＲＣ、ＧＣ及びＢＣが駆動される。より詳細には、第１の三角形６５外にある表示されるべき色又は色相の詳細に依存し、１つ、２つ又は３個全ての何れかの異なる色の良好色ＥＬ材料の副画素ＲＣ、ＧＣ及びＢＣが駆動されるが、如何なる長寿命ＥＬ材料の副画素ＲＬ、ＧＬ及びＢＬも駆動されない。従って、第１の三角形６５外の色又は色相に対し、不適切な（表示されるべき所与の色又は色相の色表示の観点から）長寿命ＥＬ材料の副画素ＲＬ、ＧＬ及びＢＬの代わりに、良好色ＥＬ材料の副画素ＲＣ、ＧＣ及びＢＣの利用に基づき、向上した色再生が提供される。この特定の「置き換え」手法は、良好色ＥＬ材料の副画素ＲＣ、ＧＣ及びＢＣの利用を可能にすることにより提供され得る色表示において最良の可能な向上を提供する。しかしながら、以上に説明された「追加の」第１の駆動方式と比較して、色向上のこの最適化は、良好色ＥＬ材料の副画素ＲＣ、ＧＣ及びＢＣの駆動が必要とされる輝度レベルが高く、従ってこれらの相対的に短寿命の材料の劣化を加速するという態様の代償である。
【００４７】
利用され得る第３の動作方式の例は、以下の通りである。
（３ａ）画素１１により表示されるべき色又は色相が、第１の三角形６５内にある場合、長寿命ＥＬ材料の副画素ＲＬ、ＧＬ及びＢＬだけが駆動される。より詳細には、第１の三角形６５内に包含される表示されるべき色又は色相の詳細に依存し、１つ、２つ又は３個全ての何れかの異なる色の長寿命ＥＬ材料の副画素ＲＬ、ＧＬ及びＢＬが駆動される。
（３ｂ）画素１１により表示されるべき色又は色相が、第１の三角形６５外にある場合、赤、緑、青の３色の１つ以上に対し、その色の長寿命ＥＬ材料の副画素の代わりに、その色の良好色ＥＬ材料の副画素が駆動される。例えば、長寿命ＥＬ材料の副画素ＲＬ及びＧＬは、赤及び緑色の場合に駆動され得る（良好色ＥＬ材料の副画素ＲＣ及びＧＣは駆動されない）。同時に、良好色ＥＬ材料の副画素ＢＣは、青色の場合に駆動され得る（良好色ＥＬ材料の副画素ＢＬは駆動されない）。これは、例えば、表示されるべき色が第２の三角形７０の青領域にある場合、生じるよう構成され得る。この特別な「色毎」の手法は、良好色ＥＬ材料の副画素ＲＣ、ＧＣ及びＢＣの経済的な利用を提供する可能性があるが、余分な処理を必要とする。
【００４８】
更に別の可能性では、上記方式の組合せを提供する。実施されるべき手法は、表示されるべき色が、第１の三角形６５及び第２の三角形７０の位置と比較して、色パレットの何処にあるかに、実質的に依存する。例えば、上記第１の方式の「追加の」手法は、第１の三角形６５外にあるが第２の三角形７０内にある色に利用され得る。しかし、第１の三角形６５の外側にほんの少し離れてある（つまり、所定の距離より近い）色は除かれ、代わりにこれらの色に対しては、第２の方式の「置き換え」手法が利用される。
【００４９】
以上から明らかなように、副画素１の異なる組合せは、画素１１により表示されるべき色に従い駆動される。所与の表示されるべき色のためにどの画素が駆動されるべきかの組合せは、ディスプレイ素子又は構成の全体の種々の異なる部品に、及び／又は種々の方法で実施されて良い。
【００５０】
この実施例では、これは、列駆動回路９の色モジュール１２により実施される。列駆動回路９へ入力されるデータ信号は、各フレームの画素毎に表示されるべき色を決定するため、色モジュール１２により処理される。フレームの画素データ毎に、色モジュール１２は、表示されるべき色をＥＬ材料の色表示性能と比較する。この実施例では、これは、図４に図示される色パレット／三角形情報のデジタル化された形式を効率的に有するルックアップテーブルを用い実施される。言い換えると、色モジュール１２は、表示されるべき色の色点が第１の三角形６５内にあるかどうかを決定する。また、動作方式が、表示されるべき色が第２の三角形７０内にあるかどうかの知識を必要とする方式である場合、これはまた決定される。
【００５１】
次に、データ信号は、行導線４の走査に関連する所要の時間において個々の列導線６に印加される。従って、各画素１１内の正しい副画素１は駆動され、以上に説明された第１の動作方式に従い必要に応じ、可能性（１ａ）及び（１ｂ）を実施する。
【００５２】
別の可能性では、色モジュール１２が列駆動回路９から分離されるが、にもかかわらず、依然としてアクティブマトリックスにアドレス指定されるＥＬディスプレイ素子の部分である。この場合、色モジュール１２は、受信データ信号が列駆動回路９へ渡される前に、受信データ信号の事前処理の形式を実行する。この場合、色モジュール１２は、受信データ信号に従い画素毎に表示されるべき色を比較し、そして副画素が駆動される必要のある各画素を決定する。色モジュール１２は、次に、長寿命ＥＬ材料の副画素及び良好色ＥＬ材料の副画素が交互に生じることを考慮するために、この情報を効率的に変換し、列駆動回路９へ供給され得る修正されたデータ入力信号を提供する。この場合、列データ駆動回路９は、従来の列駆動回路９であって良い。つまり、実質的に、この事前処理手法では、列駆動回路９は、交互に生じるデータ線が実際に異なる種類の副画素のためであることを「知る必要がない」。
【００５３】
更に別の可能性では、データ信号は、アクティブマトリックスにアドレス指定されるＥＬディスプレイ素子へ入力する前に、副画素及びディスプレイ素子の行／列構成に印加される。言い換えると、アクティブマトリックスにアドレス指定されるＥＬディスプレイ素子の部分を形成する色モジュール１２に対する如何なる要件もない。代わりに、素子により受信されたデータは、既に、この実施例の素子に存在する２種類の副画素に対応する形式である。
【００５４】
当業者は、以下のような副画素のための可能な材料として、ＥＬ材料の広範な利用を考え得る。粗悪な色表示を有する良好な寿命、又は粗悪な寿命を有する良好な色表示の何れかである絶対感度（absolute  sense）で知られているＥＬ材料は、選択が簡単である。
【００５５】
一般に、当業者は、入手可能な又は入手可能になる如何なるＥＬ材料の利用の可能性を、そのような材料の寿命特性と色点特性を比較することにより、直ちに理解し得る。このような詳細は、検討中の材料に関し、又は検討中の材料と同様の１つ以上の材料に関し、公表されたデータにおいて入手可能であり、又は計算、補間、予測、等により公表されたデータから導出可能である。例えば、不十分な寿命及び／又は色特性除法が公表されたデータから入手可能である場合、当業者は、例えば、材料を購入又は開発し、試行錯誤による体系的及び機械的方法でそれらを測定し、所要の関連する寿命及び色特性を決定し得る。これらの測定は、実行され、例えば異なる候補材料の間の絶対感度又は相対感度の何れかの結果を得る。
【００５６】
更に、長寿命副画素に利用される材料の特性が、良好色の副画素に利用される材料より、長寿命だが粗悪な色点であるような相対的特性を有する種々の材料が利用される場合、絶対感度で寿命及び色点の両方の観点から相対的に粗悪であると見なされたＥＬ材料でさえ利用され得る。言い換えると、長寿命の副画素に利用される材料は、絶対的には、一般に長寿命の材料として分類される材料より「低い性能」、つまり短寿命であって良い。同様に、良好色の副画素に利用される材料は、絶対的には、一般に良好色の材料として分類される材料より「低い性能」、つまり劣る色点を有して良い。それにもかかわらず、本発明による組み合わせにおけるこのようなＥＬ材料の利用は、従来の副画素構成におけるこれら「低い性能の」材料の利用と比較して、寿命特性の劣化の低減とともに色表示の向上の少なくともある程度の利益を提供する。このような低性能ＥＬ材料は、例えばそれらは生産又は利用に相対的に安価であるという商業的理由から利用され、又は装置全体の製造で実行される他の処理段階と関連した処理上の理由に特に適切であり得る。
【００５７】
ＥＬ材料の例は次の通りである。
【００５８】
一般的に述べると、副画素１に利用され得る適切な有機エレクトロルミネセント材料の標準的な例が知られており、例えば特許文献５に記載されている。特許文献６に記載された共役ポリマー材料もまた利用され得る。
【００５９】
また、発光有機低分子量化合物の異なる分類もある。例えば、コビオン社（Covion  Organic  Semiconducturs  GmbH、独国、フランクフルト）から入手可能な所謂、スピロ化合物である。例として、青色領域の帯域で発光するSpiro-６PP及びSpiro  Octopusがある。
【００６０】
CDT-D  Redは、ケンブリッジ・ディスプレイ・テクノロジー社（Cambridge  Display  Technology  Limited、英国、ケンブリッジ）から入手可能な赤色発光ポリフルオレンである。
【００６１】
Dow-K４  Greenは、ダウ・ケミカル・カンパニー社（Dow  Chemical  Company）から入手可能な緑色発光ポリフルオレンである。
【００６２】
Covion  Blueは、コビオン社（Covion  Organic  Semiconducturs  GmbH、独国、フランクフルト）から入手可能な青色発光ポリ（９,９’-spiro-bisfluorene）である。
【００６３】
他の可能なＥＬ材料は、非特許文献１に記載されている。例えば、コビオン社（Covion  Organic  Semiconducturs  GmbH、独国、フランクフルト）又はダウ・ケミカル・カンパニー社（Dow  Chemical  Company）から入手可能なフルオレン系のホモポリマー及びコポリマーである。
【００６４】
他の可能な材料を以下に列挙する。
（  赤色用  ）  
ルブレン（Rubrene）：5,6,11,12-テトラフェニルナフタセン
DCM：4-(ジシアノメチレン)-2-(メチル)-6-(4-ジメチルアミノスチリル)-4H-ピラン
DCM2：［2-メチル-6-[2-(2,3,6,7-テトラヒドロ-1H,5H-ベンゾ[ij]キノリジン-9-イル)エテニル］-4H-ピラン-4-イリデン]プロパン-ジニトリル、及びビス(i-フェニルイソキノリン)(アセチルアセトネート)イリジウム(III)
（  緑色用  ）
lr(ppy)3；
TAZ：3-(4-ビフェニリル)-4-フェニル-5-tert-ブチルフェニル-1,2,4-トリアゾール
（  青色用  ）
DPVBi：  4-4'-ビス(2,2-ジフェニル-エテン-1-イル)-ジフェニル
列挙された材料は、ホストマトリックス内で懸濁される必要があり得る。以下の材料は、ホストマトリックスとして利用され得る。
【００６５】
TCTA；
TCB  (トリス-カルバゾール)：  4,4',4"-トリス(カルバゾール-9-イル)トリフェニルアミン
BCB  (ビス-カルバゾール)：  4,4'-ビス(カルバゾール-9-イル)-ビフェニル
更にＥＬ材料は、非特許文献２に記載されている。
【００６６】
以上の説明では、動作方式の３個の特定の例が説明された。他の実施例では、他の方式が利用され得る。ある可能性は、以上に説明されたように異なる種類の副画素が追加の方法で駆動される動作方式に適用される。このような動作方式は、重度に飽和した（つまり、所定の彩度値より上であるとして決定された飽和値を有する）表示されるべき色又は色相に対し、長寿命ＥＬ材料の副画素は、駆動されない、又は軽度に飽和した色より低レベルで駆動される。これは、良好色ＥＬ材料の副画素による、この飽和した色に対する貢献を、軽度に飽和した色と比較してより大きくする（これらの両方の色は「第１の三角形」の外にある）。
【００６７】
以上の実施例では、長寿命ＥＬ材料の３個の異なる色の副画素１は、第１の行に配置される。また、良好色ＥＬ材料の３個の異なる色の副画素１は、対応する色の順序に、つまり図３から分かるように、第１の行の直下の第２の行に配置される。従って、個々の主色（赤、緑、青）毎に、長寿命ＥＬ材料の副画素（例えばＲＬ）及び対応する良好色ＥＬ材料の副画素（例えばＲＣ）は、列導線６を共有するが、異なる行アドレス導線４を利用する。従って、長寿命ＥＬ材料の副画素（例えばＲＬ）及び対応する良好色ＥＬ材料の副画素（例えばＲＣ）は、順々にアドレス指定される。
【００６８】
しかしながら、他の実施例では、副画素は、行及び列構成の観点から、如何なる他の実施可能な方法で配置されて良い。
【００６９】
例えば、個々の主色（赤、緑、青）毎に、長寿命ＥＬ材料の副画素（例えばＲＬ）及び対応する良好色ＥＬ材料の副画素（例えばＲＣ）は、行導線４を共有するが、異なるデータ導線６を利用し得る。この場合、長寿命ＥＬ材料の副画素（例えばＲＬ）及び対応する良好色ＥＬ材料の副画素（例えばＲＣ）は、同時にアドレス指定される。
【００７０】
別の例では、個々の主色（赤、緑、青）毎に、長寿命ＥＬ材料の副画素（例えばＲＬ）及び対応する良好色ＥＬ材料の副画素（例えばＲＣ）は、行導線４及びデータ導線６を共有し得る。この例では、追加の画素電子機器は、各画素に設けられ、ディスプレイデータを色の２つの副画素のために分離する。
【００７１】
以上の実施例では、長寿命ＥＬ材料の副画素及び対応する良好色ＥＬ材料の副画素は、個々の主色（以上の実施例では、赤、緑、青）毎に設けられる。しかしながら、他の実施例では、これは必要ない。代わりに、ただ１つ又はいくつかの異なる主色が（例えば赤、緑及び青から例えば青のみ、又は別の例では、例えば赤、緑及び青から例えば緑と青のみ）、長寿命ＥＬ材料の副画素及び対応する良好色ＥＬ材料の副画素に設けられ、同時に他の色は画素内にただ１つの副画素を有する。
【００７２】
より短寿命を有するより飽和した色材料が青の副画素のＥＬ材料で最も重要なので、赤、緑及び青の中で青のみが長寿命ＥＬ材料の副画素及び対応する良好色ＥＬ材料の副画素を設ける実施例は、特に有利である。
【００７３】
このようなある実施例は、図５を参照してより詳細に説明される。図５は、この実施例の２つの画素１１の更なる詳細を示す図である。この実施例では、３個の主色の副画素が設けられる。つまり、赤、緑及び青であり、それぞれ図３のＲ、Ｇ及びＢとして示される。各画素には、ただ１つの赤の副画素Ｒ及びただ１つの緑の副画素Ｇがある。しかしながら、各画素１１には、異なるＥＬ材料から形成された２つの青の副画素がある。より詳細には、各画素１１の２つの青の副画素の一方ＢＬは、長寿命ＥＬ材料から形成される。同時に、２つの青の副画素の他方ＢＣは、良好色ＥＬ材料から形成される。
【００７４】
この実施例では、各画素１１の４個の副画素Ｒ、Ｇ、ＢＬ、ＢＣは、同一の行に配置される。この構成は、各副画素１を独立に駆動させる。
【００７５】
動作中、青が画素１１により表示されるべき色に貢献するよう要求された場合、長寿命の青の副画素ＢＬ、良好色の青の副画素ＢＣの何れか、又は両方は、表示されるべき色及び動作方式の選択に依存し、図３に示された実施例について以上に説明された原則に従い、駆動される。しかし、３色全てとは対照的に青だけに適用される。
【００７６】
赤、青及び緑の中で青だけが、長寿命ＥＬ材料の副画素及び対応する良好色ＥＬ材料の副画素を設ける別の実施例は、図６を参照して以下に説明される。図６は、この実施例の４個の画素１１の更なる詳細を示す図である。この実施例では、３個の主色の副画素が設けられる。つまり、赤、緑及び青であり、それぞれ図３のＲ、Ｇ及びＢとして示される。１種類のみの赤の副画素Ｒ及び１種類のみの緑の副画素Ｇがある。しかしながら、異なるＥＬ材料から形成された２種類の青の副画素がある。より詳細には、２種類の青の副画素の一方ＢＬは、長寿命ＥＬ材料から形成される。同時に、２種類の青の副画素ＢＬの他方ＢＣは、良好色ＥＬ材料から形成される。個々の種類の青の副画素は、交互に画素１に設けられる。従って、この実施例では、各画素１は、ただ１つの青の副画素を有する。しかしながら、画素１１は、全体として２種類の青の副画素を有する。
【００７７】
動作中、青が隣接する画素１１のグループにより表示されるべき色に貢献するよう要求された場合、良好色の青の副画素ＢＣを有するいくつかの画素の存在は、色表示への貢献を向上する。また、いくつかの長寿命の青の副画素ＢＬの存在は、寿命特性のいくらかの向上を提供する。
【００７８】
１つだけ、又はいくつかだけの異なる主色が長寿命ＥＬ材料の副画素及び対応する良好色ＥＬ材料の副画素に設けられる、以上に説明された実施例では、他の主色の単一の副画素は、相対的に長寿命ＥＬ材料の副画素、相対的に良好色ＥＬ材料の副画素、又は寿命及び色特性の中間の相対レベルを提供するＥＬ材料から成る副画素の形式の何れかに設けられて良い。
【００７９】
より一般的には、画素毎の副画素の主色が３個より少ない又は多い場合を含み、赤／緑／青以外の主な副画素の色が設けられて良いことが理解される。それぞれの場合に、種々の実施例について以上に説明された全ての種々の詳細は、必要に応じて変更され得る。又は副画素の色のこのような異なる数及び選択を許容する。このような変形は、例えば、行／列構成、動作方式、色の組合せ等の上記の可能性を包含する。
【００８０】
上記の実施例では、駆動回路は、図１及び２を参照して説明された。しかしながら、他の実施例では、如何なる他の適切な駆動回路が利用されて良い。更に、図２及び３に示されたような回路を利用する場合でも、他の駆動処理が利用されて良い。例えば、図２に示された駆動回路は、特許文献１に記載されたようにデジタル方式で駆動されて良い。
【００８１】
上記の実施例では、画素１１内の全ての異なる副画素１は、実質的に同一の表示領域又はアパーチャーを有する。しかしながら、他の実施例では、異なる副画素は異なる大きさであって良い。
【図面の簡単な説明】
【００８２】
【図１】アクティブマトリックスにアドレス指定されるカラーエレクトロルミネセントディスプレイ素子の一部の図である。
【図２】副画素及び図１のディスプレイ素子の副画素毎に用いられる駆動回路構成を簡易図の形式で示す。
【図３】図１のディスプレイ素子の画素の更なる詳細を示す図である。
【図４】色パレットの図である。
【図５】別のディスプレイ素子の２つの画素の更なる詳細を示す図である。
【図６】別のディスプレイ素子の４個の画素の更なる詳細を示す図である。
【図１】
2007533095.tif 000003
【図２】
2007533095.tif 000004
【図３】
2007533095.tif 000005
【図４】
2007533095.tif 000006
【図５】
2007533095.tif 000007
【図６】
2007533095.tif 000008
【国際調査報告】
2007533095.tif 000009
2007533095.tif 000010
2007533095.tif 000011